(57)【要約】【課題】データの着信を発光によって報知すると共に、適宜箇所に設置された受信装置によってデータの発信元情報を報知することができる通信システムを提供する。【解決手段】データ及び該データの発信元に関する発信元情報を受信し、受信した発信元情報を可視光にて送信するＬＥＤランプ２２ａを有する通信装置と、通信装置から可視光にて送信された発信元情報を受信し、受信した発信元情報を表示するように構成した受信装置３，４，５とを備える。【選択図】図１
2007295268.tif 000002
【特許請求の範囲】
【請求項１】
データ及び該データの発信元に関する発信元情報を受信し、受信したデータを出力する通信装置において、
データ及び該データの発信元情報を受信した場合、受信した発信元情報を可視光にて送信する送信手段を備える
ことを特徴とする通信装置。
【請求項２】
複数の所定データ及び特定の発信元を対応付けたテーブルと、
データ及び該データの発信元情報を受信した場合、前記テーブル及び受信した発信元情報に基づいて、受信したデータの発信元に対応する所定データを特定する特定手段と
を備え、
前記送信手段は、
前記特定手段が特定した所定データを可視光にて送信するようにしてある
ことを特徴とする請求項１に記載の通信装置。
【請求項３】
請求項１又は請求項２に記載の通信装置と、受信装置とを備える通信システムであって、
前記受信装置は、
前記送信手段が送信した発信元情報を受信する受信手段と、
該受信手段が受信した発信元情報を表示する手段と
を備えることを特徴とする通信システム。
【請求項４】
請求項２に記載の通信装置と、複数の受信装置とを備える通信システムであって、
前記受信装置は、
所定データを記憶する記憶手段と、
前記送信手段が送信した発信元情報及び所定データを受信する受信手段と、
該受信手段が受信した所定データ及び前記記憶手段が記憶している所定データが一致するか否かを判定する判定手段と、
該判定手段が一致すると判定した場合、前記受信手段が受信した発信元情報を表示する手段と
を備えることを特徴とする通信システム。
【発明の詳細な説明】
【技術分野】
【０００１】
本発明は、データ及び該データの発信元に関する発信元情報を受信し、受信したデータを出力すると共に発信元情報を可視光にて送信する通信装置と、通信装置から送信された発信元情報を受信し、受信した発信元情報を表示する受信装置とを備える通信システム及び該通信システムを構成する通信装置に関する。
【背景技術】
【０００２】
ファクシミリ装置は、画像データ及び画像データの発信元を示す発信元情報、例えば電話番号を受信し、受信した画像データに係る画像を用紙に印刷すると共に、発信元情報を表示パネルに表示する。
また、ファクシミリ装置は着信ランプを備えている。着信ランプは、ＬＥＤ（Light Emitting Diode）ランプと、該ＬＥＤランプを先端に備え、基部がファクシミリ装置の筐体に固定された柱部とから構成されている。ファクシミリ装置は画像データを受信した場合、ＬＥＤランプを発光させることによって、画像データの着信を報知するように構成されている。
このように構成されたファクシミリ装置においては、ＬＥＤランプの発光によって画像データの着信を報知することができる（例えば、特許文献１）。
【０００３】
一方、受信した画像データの発信元をＬＥＤランプの発光色によって報知するように構成されたファクシミリ装置が提案されている（例えば、特許文献２）。
【特許文献１】特開平９−２８９５６０号公報
【特許文献２】特開２００１−１２７９４０号公報
【発明の開示】
【発明が解決しようとする課題】
【０００４】
しかしながら、特許文献１及び特許文献２に係るファクシミリ装置においては、使用者がファクシミリ装置から離れた場所にいる場合、使用者がファクシミリ装置に対して背を向けているような場合、画像データの着信を使用者に通知できないという問題があった。
【０００５】
また、特許文献２に係るファクシミリ装置においては、ＬＥＤランプの発光色と発信元との対応関係を使用者が記憶しておく必要があり、発信元が多くなる程、発信元の識別が困難になるという問題があった。
【０００６】
本発明は、斯かる事情に鑑みてなされたものであり、受信したデータの発信元情報を可視光にて送信する通信装置と、可視光にて送信された発信元情報を受信し、受信した発信元情報を表示する受信装置とを備えることにより、データの着信を発光によって報知すると共に、適宜箇所、例えば机上に設置された受信装置によってデータの発信元情報を報知することができる通信システム及び該通信システムを構成する通信装置を提供することにある。
【０００７】
本発明の他の目的は、受信したデータの発信元に対応する所定データを特定し、特定した所定データ及び発信元情報を送信する通信装置と、予め記憶している所定データに一致する所定データを受信した場合、受信した発信元情報を表示する受信装置とを備えることにより、発信元に対応じた特定の受信装置にのみ発信元情報を表示させることができ、着信に対する使用者の不要な対応負担を軽減することができる通信システム及び該通信システムを構成する通信装置を提供することにある。
【課題を解決するための手段】
【０００８】
第１発明に係る通信装置は、データ及び該データの発信元に関する発信元情報を受信し、受信したデータを出力する通信装置において、データ及び該データの発信元情報を受信した場合、受信した発信元情報を可視光にて送信する送信手段を備えることを特徴とする。
【０００９】
第２発明に係る通信装置は、複数の所定データ及び特定の発信元を対応付けたテーブルと、データ及び該データの発信元情報を受信した場合、前記テーブル及び受信した発信元情報に基づいて、受信したデータの発信元に対応する所定データを特定する特定手段とを備え、前記送信手段は、前記特定手段が特定した所定データを可視光にて送信するようにしてあることを特徴とする。
【００１０】
第３発明に係る通信システムは、第１又は第２発明に係る通信装置と、受信装置とを備える通信システムであって、前記受信装置は、前記送信手段が送信した発信元情報を受信する受信手段と、該受信手段が受信した発信元情報を表示する手段とを備えることを特徴とする。
【００１１】
第４発明に係る通信システムは、第２発明に係る通信装置と、複数の受信装置とを備える通信システムであって、前記受信装置は、所定データを記憶する記憶手段と、前記送信手段が送信した発信元情報及び所定データを受信する受信手段と、該受信手段が受信した所定データ及び前記記憶手段が記憶している所定データが一致するか否かを判定する判定手段と、該判定手段が一致すると判定した場合、前記受信手段が受信した発信元情報を表示する手段とを備えることを特徴とする。
【００１２】
第１又は第３発明にあっては、通信装置がデータ及び該データの発信元に関する発信元情報を受信した場合、送信手段は、可視光にて発信元情報を送信する。従って、発光によってデータの受信を報知すると共に、発信元情報を可視光にて送信することができる。
受信装置は、可視光にて送信された発信元情報を受信手段が受信した場合、受信した発信元情報を表示する。従って、通信装置及び受信装置が離隔している場合であっても、受信装置はデータの受信及び発信元情報を報知することができる。
【００１３】
第２又は第４発明にあっては、通信装置がデータ及び発信元情報を受信した場合、特定手段は、複数の所定データ及び特定の発信元を対応付けたテーブル及び受信した発信元情報に基づいて、発信元に対応する所定データを特定する。そして、送信手段は、特定された所定データ及び受信した発信元情報を可視光にて送信する。
受信装置における判定手段は、受信手段が可視光にて送信された所定データを受信した場合、予め記憶手段が記憶している所定データ、つまり受信装置を示すデータと、受信した所定データとが一致するか否かを判定する。そして、表示手段は、判定手段が一致すると判定した場合、発信元情報を表示し、否と判定した場合、発信元情報を表示しない。従って、データの発信元に対応した特定の受信装置にのみ、発信元情報が表示される。
【発明の効果】
【００１４】
本発明によれば、データの着信を発光によって報知すると共に、適宜箇所、例えば机上に設置された受信装置によってデータの発信元情報を報知することができる。
【００１５】
本発明によれば、発信元に対応じた特定の受信装置にのみ発信元情報を表示させることができ、着信に対する使用者の不要な対応負担を軽減することができる。
【発明を実施するための最良の形態】
【００１６】
以下、本発明をその実施の形態を示す図面に基づいて詳述する。
図１は、本発明の実施の形態に係る通信システムを示す模式図である。実施の形態に係る通信システムは、ファクシミリ機能、コピー機能等を有する複合機１、及び複数の受信装置３，４，５…から構成されている。複合機１は、受信した画像データの発信元に関する発信元情報、例えば電話番号を可視光にて受信装置３，４，５…へ送信し、受信装置３，４，５…は発信元情報を受信し、受信した発信元情報を表示するように構成されている。
【００１７】
図２は、実施の形態に係る複合機１の構成を示すブロック図である。複合機１は、原稿を読み取り、原稿の画像データを取得する読取部１３、取得した画像データを一時的に蓄積する画像メモリ１６、画像メモリ１６に蓄積された画像データに基づいて、画像を用紙に記録、つまり印刷するプリンタ部１５、及び制御部１１を備えており、制御部１１は、バス２４を介して画像データの取得及び記録を制御することで、コピー機能を実現するように構成されている。
【００１８】
バス２４には、ＲＯＭ２０及びＲＡＭ１８が接続されている。ＲＯＭ２０は、フラッシュメモリからなり、複合機１の動作に必要な各種制御プログラムを格納している。制御部１１は、ＣＰＵを備えており、ＲＯＭ２０に格納されている制御プログラムをＲＡＭ１８に読み出して実行することにより、複合機１のコピー機能、ファクシミリ機能等の各種機能を実現する。
【００１９】
読取部１３は、原稿に光を照射する光源、原稿で反射された反射光を電気信号に変換するラインＣＣＤ等の光学素子を備えており、ラインＣＣＤが変換した電気信号に基づいて原稿の画像データを取得する。そして、読取部１３は、取得した画像データを画像メモリ１６に与える。
【００２０】
プリンタ部１５は、感光ドラム、定着器等を備える電子写真方式のプリンタ装置であって、印刷処理用のプログラムを格納した図示しないフラッシュＲＯＭを備えており、フラッシュＲＯＭに格納されたプログラムに従って、画像データに係る画像を用紙に印刷する。
【００２１】
また、複合機１は、ファクシミリ通信により画像データを送受信するためのＮＣＵ（Network Control Unit）１２及びモデム１４、並びに送受信される画像データを所定の符号化方式、例えばＭＨ，ＭＲ，ＭＭＲ等の符号化方式に従って符号化及び復号化する符号化・復号化部２１を備えており、制御部１１は、画像データの送受信、原稿の読み取り、画像の印刷を制御することで、ファクシミリ機能を実現する。
【００２２】
ＮＣＵ１２は、公衆電話回線網（PSTN:Public Switched Telephone Network）との回線２５の閉結及び開放の動作を行うハードウェアであり、制御部１１の制御に応じてモデム１４と公衆電話回線網とを接続する。
【００２３】
モデム１４は、バス２４に接続されており、画像データをファクシミリ受信する場合、公衆電話回線網から入力されたアナログの画像データをデジタルの画像データに復調し、符号化・復号化部２１に与える。符号化・復号化部２１は、画像データを復号化して、画像メモリ１６に蓄積し、プリンタ部１５は画像メモリ１６に蓄積された画像データに基づいて、画像を印刷する。また、モデム１４は、公衆電話回線網から画像データと共に入力された発信元情報を復調し、制御部１１は、復調された発信元情報の送信に係る処理を実行する。発信元情報は、例えば発信元の電話番号又は発信元のファクシミリ装置の名称である。
【００２４】
画像データをファクシミリ送信する場合、符号化・復号化部２１は、読取部１３が読み
取った画像データを符号化して、符号化した画像データをモデム１４に与える。モデム１４は、画像データをアナログの信号に変調し、公衆電話回線網へ出力する。
【００２５】
また、複合機１は、画像データの着信を発光にて報知すると共に、可視光にて発信元情報を送信する送信部２２、及び発信元情報の通知先である受信装置３，４，５…を特定するためのテーブル２３ａを記憶した記憶部２３を備えている。
【００２６】
記憶部２３が記憶しているテーブル２３ａは、特定の発信元と、通知先の受信装置３，４，５…を特定するための通知先特定データとを対応付けたものである。通知先特定データは、各受信装置３，４，５…に割り当てられている固有のデータである。例えば、電話番号「０７５−○○○−△△△△」と、通知先特定データ「０００１」とが対応付けられており、電話番号「０７５−□□□−××××」と、送信先指定データ「０００２」及び「０００３」とが対応付けられている。
【００２７】
送信部２２は、基部がファクシミリ装置の筐体に固定された柱部２２ｃ、柱部２２ｃの先端に設けられたＬＥＤランプ２２ａ、及びＬＥＤランプ２２ａに給電することでＬＥＤランプ２２ａを発光させるランプ駆動部２２ｂから構成されている。ランプ駆動部２２ｂは、バス２４に接続されており、制御部１１から与えられた駆動信号に基づいてＬＥＤランプ２２ａに給電し、発信元情報及び通知先特定データを可視光にて送信する。
【００２８】
更に、複合機１は、バス２４に接続されており、複合機１を操作するための操作部１９及び表示部１７が接続されている。
【００２９】
表示部１７は、複合機１の動作状態、複合機１を操作するためのソフトキーを表示する液晶ディスプレイを備えている。
【００３０】
操作部１９は、表示部１７に対向配置された抵抗膜方式又は静電容量方式のタッチパネルを備え、表示部１７に表示されたソフトキーの操作を受け付け、制御部１１がタッチパネルの操作状態を検出することができるように構成されている。また、操作部１９は、押しボタン式のキー、例えばスタートキー、テンキー、リセットキー等を備えている。
【００３１】
図３は、受信装置３の構成を示すブロック図である。
受信装置３は、制御部３１を備えており、制御部３１にはバス３８を介して受信部３２、ＲＯＭ３３、ＲＡＭ３５、不揮発性の記憶部３４、及び発信元情報表示部３６が接続されている。
【００３２】
受信部３２は、図１に示すように略直方体の筐体の上部から突出した透明円柱部分の内部に封止されたフォトダイオードを備えており、可視光を光電変換することによって、発信元情報及び送信先特定情報を受信する。また、前記透明円柱部分の内部には、報知用の発光部３７が封止されている。発光部３７は、バスに接続されている
【００３３】
ＲＯＭ３３は、発信元情報の表示に係る処理を実行するための制御プログラムを記憶している。制御部３１は、ＣＰＵを備えており、ＲＯＭ３３が記憶している制御プログラムをＲＡＭ３５に読み出して実行することにより、発信元情報の表示に係る処理を実行する。
【００３４】
発信元情報表示部３６は、図１に示すように筐体の正面側に配された略矩形の液晶パネルを備えており、発信元情報を表示する。
記憶部３４は、受信装置３に固有の装置固有データ、例えば「０００１」を記憶している。
【００３５】
受信装置４，５の構成は、受信装置３と同様であり、固有の装置固有データ、例えば「０００２」，「０００３」を夫々記憶している。
【００３６】
図４は、発信元情報の送信に係る制御部１１の処理手順を示すフローチャートである。
複合機１の制御部１１は、ＮＣＵ１２に入力する呼出信号を監視しており、呼出信号を受信したか否かを判定する（ステップＳ１１）。呼出信号を受信したと判定した場合（ステップＳ１１：ＹＥＳ）、制御部１１は、発信元識別番号を受信する（ステップＳ１２）。呼出信号を受信していないと判定した場合（ステップＳ１１：ＮＯ）、制御部１１は、発信元情報の送信に係る処理を終える。
【００３７】
ステップＳ１２の処理を終えた場合、制御部１１は、ＮＣＵ１２に回線２５を閉結させ（ステップＳ１３）、発信元情報を要求する（ステップＳ１４）。具体的には、制御部１１は、非標準機能識別信号ＮＳＦ、デジタル識別信号ＤＩＳ等の信号を送信する。
【００３８】
そして、制御部１１は、ＮＣＵ１２にて受信し、モデム１４で復調された発信元情報を受信する（ステップＳ１５）。具体的には、送信端末識別信号ＴＩＳ、非標準機能設定信号ＮＳＳ、デジタル送信命令信号ＤＣＳ等の信号を受信する。
【００３９】
次いで、制御部１１は、記憶部２３からテーブル２３ａを読み出し（ステップＳ１６）、発信元情報及びテーブル２３ａに基づいて、画像データの発信元に対応した通知先特定データを特定する（ステップＳ１７）。そして、制御部１１は、ランプ駆動部２２ｂに駆動信号を与えることでＬＥＤランプ２２ａを発光させる（ステップＳ１８）。
【００４０】
そして、制御部１１は、発信元情報及び通知先特定データをＬＥＤランプ２２ａの可視光にて送信する（ステップＳ１９）。具体的には、制御部１１は、発信元情報及び通知先特定データに基づいて、ランプ駆動部２２ｂにＬＥＤランプ２２ａの駆動電流を変調させる。例えば、マンチェスター符号にて変調させることによって、発信元情報及び通知先特定データを送信する。
【００４１】
次いで、制御部１１は、画像データを受信し（ステップＳ２０）、受信した画像データに基づいて画像をプリンタ部１５に印刷させ（ステップＳ２１）、発信元情報の送信に係る処理を終える。
【００４２】
図５は、発信元情報の表示に係る制御部３１の処理手順を示すフローチャートである。
受信装置３の制御部３１は、可視光にて送信されたデータを受信部３２にて受信し（ステップＳ４１）、受信したデータを復調する（ステップＳ４２）。そして、制御部３１は、発信元情報及び通知先特定データを受信したか否かを判定する（ステップＳ４３）。
【００４３】
発信元情報及び通知先特定データを受信していないと判定した場合（ステップＳ４３：ＮＯ）、制御部３１は、処理をステップＳ４１へ戻す。発信元情報及び通知先特定データを受信したと判定した場合（ステップＳ４３：ＹＥＳ）、制御部３１は、記憶部３４から装置固有データを読み出し（ステップＳ４４）、読み出した装置固有データと通知先特定データとが一致するか否かを判定する（ステップＳ４５）。
【００４４】
一致すると判定した場合（ステップＳ４５：ＹＥＳ）、制御部３１は、発信元情報を発信元情報表示部３６に表示させる（ステップＳ４６）。ステップＳ４６の処理を終えた場合、又はステップＳ４５で一致しないと判定した場合（ステップＳ４５：ＮＯ）、制御部３１は、発信元情報の表示に係る処理を終える。
【００４５】
以上、受信装置３が備える制御部３１の処理手順を説明したが、受信装置４，５…も同様の処理を実行する。
【００４６】
このように構成された通信システム及び複合機１にあっては、データの着信をＬＥＤランプ２２ａの発光によって報知すると共に、適宜箇所、例えば机上に設置された受信装置３，４，５…によって発信元情報を報知することができる。
【００４７】
また、発信元に対応した特定の受信装置３，４，５…にのみ発信元情報を表示させることができ、着信に対する使用者の不要な対応負担を軽減することができる。
例えば、電話番号「０７５−○○○−△△△△」の発信元から送信されたデータを受信した場合、図１に示すように受信装置３の発信元情報表示部３６にのみ発信元情報が表示され、発光部３７が発光する。従って、受信装置４，５の使用者には、データの着信及び発信元情報が報知されず、使用者の対応負担が軽減される。
【００４８】
なお、実施の形態ではファクシミリ通信にて画像データを受信した場合に、発信元情報を報知する例を説明したが、他のデータ、例えば電子メールのデータを受信した場合に、発信元情報の電子メールアドレスを可視光にて送信し、報知するように構成しても良い。
【００４９】
また、受信装置が一の装置固有データを記憶するように構成してあるが、複数の装置固有データを記憶し、スライドスイッチにて一の装置固有情報を選択するように構成しても良い。
【００５０】
更に、装置固有データを記憶する記憶部は、半導体の記憶素子に限定されず、情報を記憶可能な回路素子、例えばディップスイッチ等で構成しても良い。
【図面の簡単な説明】
【００５１】
【図１】本発明の実施の形態に係る通信システムを示す模式図である。
【図２】実施の形態に係る複合機の構成を示すブロック図である。
【図３】受信装置の構成を示すブロック図である。
【図４】発信元情報の送信に係る制御部の処理手順を示すフローチャートである。
【図５】発信元情報の表示に係る制御部の処理手順を示すフローチャートである。
【符号の説明】
【００５２】
１  複合機
３，４，５  受信装置
１１  制御部
１２  ＮＣＵ
１３  読取部
１４  モデム
１５  プリンタ部
１６  画像メモリ
１７  表示部
１９  操作部
２０  ＲＯＭ
２１  符号化・復号化部
２２  送信部
２２ａ  ＬＥＤランプ
２２ｂ  ランプ駆動部
２２ｃ  柱部
２３  記憶部
２３ａ  テーブル
２４  バス
３１  制御部
３２  受信部
３３  ＲＯＭ
３４  記憶部
３６  発信元情報表示部
３７  発光部
３８  バス
【図１】
2007295268.tif 000003
【図２】
2007295268.tif 000004
【図３】
2007295268.tif 000005
【図４】
2007295268.tif 000006
【図５】
2007295268.tif 000007